(57)【要約】【課題】現像剤をシートに加熱定着させる定着装置において，定着装置の稼動開始と同時に加熱器の温度上昇を開始させ，加熱器の温度を上昇させる処理が行われている間に，制御パラメータ等のバックアップデータの読込み処理，画像読取部と制御部との通信同期処理，画像形成装置を構成する機器に対するエラー確認処理を行い，その後，加熱器の温度を上記の３処理から決定された目標温度に調整することで，ウォームアップタイムの短縮を達成すること。【解決手段】定着装置の稼動開始と同時に加熱器の温度上昇を開始させ（Ｓ２１），加熱器の温度上昇処理の実行中に，バックアップデータの読込み処理（Ｓ２２），画像読取部と制御部との通信同期処理（Ｓ２３），画像形成装置を構成する機器に対するエラー確認処理（Ｓ２４）を行った後，加熱器の温度を上記の３処理から決定された目標温度に調整する（Ｓ２７）。【選択図】図４
2004354406.tif 000002
【特許請求の範囲】
【請求項１】
加熱器を目標温度となるように駆動制御し，この加熱器によりシートに付着した現像剤を上記シートに加熱定着させる定着装置において，
上記定着装置の稼動開始と同時に，上記目標温度に関わり無く上記加熱器の温度が上昇するように上記加熱器を駆動制御する第１の温度制御手段と，上記第１の温度制御手段による制御中に，上記目標温度あるいは該目標温度を得るための上記加熱器駆動に関するパラメータを確認する目標温度等確認手段と，上記目標温度等確認手段により，上記目標温度あるいは上記パラメータが確認された後に，該確認された目標温度あるいは上記パラメータに基づいて上記加熱器の温度を制御する第２の温度制御手段とを具備してなることを特徴とする定着装置。
【請求項２】
所定の記憶手段に対して上記目標温度あるいは上記パラメータの書き込みを行う情報書込手段を具備してなる請求項１に記載の定着装置。
【請求項３】
上記記憶手段に記憶される上記加熱器の動作に関する情報に基づいて上記加熱器を停止させるか否かを判別する請求項１あるいは２に記載の定着装置。
【請求項４】
上記加熱器の温度が所定の加熱時間内に上昇したか否かで上記加熱器を停止させるか否かを判別する請求項１〜３のいずれかに記載の定着装置。
【請求項５】
請求項１〜４のいずれかに記載の定着装置を具備する画像形成装置。
【請求項６】
加熱器を目標温度となるように駆動制御し，この加熱器によりシートに付着した現像剤を上記シートに加熱定着させる定着装置を制御するプログラムであり，上記定着装置の稼動開始と同時に，上記目標温度に関わり無く上記加熱器の温度が上昇するように上記加熱器を駆動制御する第１の温度制御手段と，上記第１の温度制御手段による制御中に，上記目標温度あるいは該目標温度を得るための上記加熱器駆動に関するパラメータを確認する目標温度等確認手段と，上記目標温度等確認手段により，上記目標温度あるいは上記パラメータが確認された後に，該確認された目標温度あるいは上記パラメータに基づいて上記加熱器の温度を制御する第２の温度制御手段とを制御する機能を実現させるための加熱器温度制御プログラム。
【請求項７】
上記記憶手段から取得した上記加熱器の動作に関する情報に基づいて上記加熱器を停止させるか否かを判別する機能を実現させるための加熱器温度制御プログラム。
【請求項８】
上記加熱器の温度が所定の加熱時間内に上昇したか否かで上記加熱器を停止させるか否かを判別する機能を実現させるための加熱器温度制御プログラム。
【発明の詳細な説明】
【０００１】
【発明の属する技術分野】
本発明は，所定の加熱器により加熱定着させる定着装置に関し，特に上記定着装置の稼動開始時において，上記定着装置が有する上記加熱器の温度が所定の目標温度になるまでの時間の短縮を特徴とするものである。
【０００２】
【従来の技術】
まず，複写機，プリンタ，ファクシミリあるいはその複合機として構成される画像形成装置が備える定着装置において，加熱器の温度を所定の目標温度（以下，Ｒｅａｄｙ温度という）まで上昇させる処理（以下，ウォームアップ処理という）について図３のフローチャートを用いて説明する。このような処理は、上記画像形成装置の全制御を行う制御部によって電源投入時に実施される。尚，図３における符号Ｓ１，Ｓ２，…  はそれぞれステップ番号を示している。また，本処理ではＲｅａｄｙ温度を１２５度に設定している。
Ｓ１：まず，利用者により画像形成装置の電源が投入されると，上記画像形成装置が有する不揮発性メモリにバックアップデータとして記憶されているＣＰＵのワークエリア，制御パラメータ等の固定データ，およびメンテナンス時に使用される印刷枚数等の変動データの読込みを行う。上記バックアップデータの読込みが完了するまでの間は上記ステップＳ１の処理を行い，上記バックアップデータの読込みが完了するとステップＳ２の処理に進む。
Ｓ２：上記画像形成装置が有する画像読取部と上記制御部との間で通信の同期がとれているかを確認する。上記通信同期の確認が完了するまでの間は上記ステップＳ２の処理を行い，上記通信同期の確認が完了するとステップＳ３の処理に進む。
Ｓ３：上記画像形成装置を構成する機器においてエラーが発生しているか否かの確認処理を行う。上記画像形成装置を構成する機器におけるエラー確認処理が完了するまでの間は上記ステップＳ３の処理が行われ，エラー確認処理が終了すればステップＳ４の処理に進む。
Ｓ４：ステップＳ１〜ステップＳ３の処理が完了することで上記加熱器のＲｅａｄｙ温度（本処理では１２５度）が決まり，ここで初めて上記Ｒｅａｄｙ温度を目標温度としての加熱器に対する温度上昇処理が開始される。
Ｓ５：上記温度上昇処理中に上記定着装置においてエラーが発生していないかを確認する。上記定着装置においてエラーが発生していればステップＳ７に進み，発生していなければステップＳ６に進む。
Ｓ６：センサで検知された結果，上記加熱器の温度がＲｅａｄｙ温度（１２５度）に達していればステップＳ７に進み，１２５度に達していなければステップＳ５の処理に戻る。
Ｓ７：上記ステップＳ５にて上記定着装置におけるエラーが発生した場合，あるいは上記ステップＳ６にて上記加熱器の温度が１２５度に達していた場合，上記加熱器の温度上昇処理の停止処理を行う。
尚，上記ステップＳ１〜上記ステップＳ７までの一連の処理については，上記画像形成装置に対する，省電力モード（節電を目的とし，所定の時間内に上記画像形成装置を稼動させない場合にＲｅａｄｙ温度に保たれている上記加熱器の電源を切ること）から再稼動させる際に行われる処理にも用いられることがある。
また，図示はしていないが，上記ステップＳ１〜上記ステップＳ３を実行中にエラー（バックアップデータに異常が発生したことに伴うデータの初期化や画像読取部と制御部との通信同期が取れない等のエラー）が発生すれば，もちろん，加熱器の温度上昇を行う処理は停止される。さらに，定着装置が収容される部分のカバー等が開いている際の加熱器の温度上昇を行う処理の停止については，別途ハード側での安全対策として安全装置等の設置が行われていることは周知である。
【０００３】
このように，従来では，画像形成装置の電源が投入されてから加熱器の温度を上昇させる処理が開始するまでに，不揮発性メモリに記憶されている画像形成装置に関するバックアップデータの読込み処理，画像読取部と制御部との通信同期処理，および画像形成装置を構成する機器におけるエラー確認の処理が上記制御部にて行われている。また，上述した，画像形成装置に関するデータ（ＣＰＵのワークエリア，制御パラメータ等の固定データ，およびメンテナンス時に使用される印刷枚数等の変動データ）については，データへのアクセスが速く，揮発性メモリであるＲＡＭ（Ｒａｎｄｏｍ  Ａｃｃｅｓｓ  Ｍｅｍｏｒｙ）に一時的に保持される。ＲＡＭに記憶されたデータは，消去されないようにバックアップデータとして不揮発性メモリに記憶される。上記不揮発性メモリには，例えば特許文献１に挙げられるように，対ノイズ性に優れ，データが保存される際にバッテリを必要としないＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）といった，電気的に消去や書き込みが可能なＲＯＭが使用されている。
【０００４】
【特許文献１】
特開平５−２４９７６９号公報
【０００５】
【発明が解決しようとする課題】
近年，画像形成装置におけるウォームアップ処理に要する時間（以下，ウォームアップタイムという）の短縮が要求されてはいるが，上述した従来技術においては，バックアップデータの読込み処理に約２秒，通信の同期確認処理に約１秒，機械のエラー確認処理に約１秒かかることがすでに判明しており，上記従来技術では，このような待ち時間の後に加熱器を駆動するためウォームアップタイムの短縮に限界があった。
また，バックアップデータが記憶されるＥＰＰＲＯＭは，ＲＡＭに比べるとデータアクセス速度が劣るため，例えばＥＰＰＲＯＭに記憶されているバックアップデータのデータサイズが大きい場合には上記バックアップデータの読込み処理に更に時間を要する問題がある。さらに，上記のように，利用者によって画像形成装置の電源が投入された後から加熱器の温度の上昇が開始されるまでの処理の結果で，Ｒｅａｄｙ温度が決定されるため，処理にエラーやリトライが発生した場合では，ウォームアップタイムに長時間を要する問題もありうる。
従って，本発明は上記事情に鑑みてなされたものであり，その目的とするところは，定着装置の稼動開始と同時に，上記加熱器の温度上昇を開始させ，上記加熱器において温度上昇の処理が行われている間に，上述したバックアップデータの読込み処理，画像読取部と制御部との通信同期処理，画像形成装置を構成する機器に対するエラー確認処理を行い，その後，最終的に上記加熱器の温度を上記の３つの処理から決定されたＲｅａｄｙ温度に調整する装置を提供することで，ウォームアップタイムの短縮を行うことにある。
【０００６】
【課題を解決するための手段】
上記目的を達成するために本発明は，加熱器を目標温度となるように駆動制御し，この加熱器によりシートに付着した現像剤を上記シートに加熱定着させる定着装置において，上記定着装置の稼動開始と同時に，上記目標温度に関わり無く上記加熱器の温度が上昇するように上記加熱器を駆動制御する第１の温度制御手段と，上記第１の温度制御手段による制御中に，上記目標温度あるいは該目標温度を得るための上記加熱器駆動に関するパラメータを確認する目標温度等確認手段と，上記目標温度等確認手段により，上記目標温度あるいは上記パラメータが確認された後に，該確認された目標温度あるいは上記パラメータに基づいて上記加熱器の温度を制御する第２の温度制御手段とを具備してなることを特徴とする定着装置から構成される。
このため，上記定着装置の稼動が開始されると同時に，上記加熱器の温度上昇させる処理を上記第１の温度制御手段が開始することで，上記目標温度等確認手段にて上記加熱器の温度上昇の処理を開始するまでの処理（バックアップデータの読込み処理，画像読取部と制御部との通信の同期確認処理，画像形成装置を構成する機器に対するエラー確認処理）が行われると同時に，上記加熱器の温度上昇させる処理が並行して行われる。その後，最終的に第２の温度制御手段にてＲｅａｄｙ温度に上記加熱器の温度が調整されることにより，ウォームアップタイムの短縮が可能になる。
【０００７】
また，上記の場合においては，所定の記憶手段に対して上記目標温度あるいは上記パラメータの書き込みを行う情報書込手段を具備することが望ましい。さらに，上記記憶手段に記憶される上記加熱器の動作に関する情報に基づいて上記加熱器を停止させるか否かの判別，あるいは上記加熱器の温度が所定の加熱時間内に上昇したか否かで上記加熱器を停止させるか否かを判別する定着装置であればなおよい。
【０００８】
また，上述した定着装置については，画像形成装置における定着工程の一手段でもよい。
【０００９】
なお，本発明は，加熱器を目標温度となるように駆動制御し，この加熱器によりシートに付着した現像剤を上記シートに加熱定着させる定着装置を制御するプログラムであり，上記定着装置の稼動開始と同時に，上記目標温度に関わり無く上記加熱器の温度が上昇するように上記加熱器を駆動制御する第１の温度制御機能と，上記第１の温度制御機能による制御中に，上記目標温度あるいは該目標温度を得るための上記加熱器駆動に関するパラメータを確認する目標温度等確認機能と，上記目標温度等確認機能により，上記目標温度あるいは上記パラメータが確認された後に，該確認された目標温度あるいは上記パラメータに基づいて上記加熱器の温度を制御する第２の温度制御機能とを実現させるための加熱器温度制御プログラムとしても捉えることができる。
【００１０】
また，上記の場合においては，上記記憶手段に記憶される上記加熱器の動作に関する情報に基づいて上記加熱器を停止させるか否かを判別する機能を実現させるための加熱器温度制御プログラムであることが望ましい。さらに，上記加熱器の温度が所定の加熱時間内に上昇したか否かで上記加熱器を停止させるか否かを判別する機能を実現させるための加熱器温度制御プログラムであればなお良い。
【００１１】
【発明の実施の形態】
以下添付図面を参照しながら，本発明の実施の形態について説明し，本発明の理解に供する。尚，以下の実施の形態は本発明を具体化した一例であって，本発明の技術範囲を限定するものではない。ここに図１は本発明の一実施形態（以下，実施形態例と言う）に係る画像形成装置Ａの概略断面図，図２は上記実施形態例に係る画像形成装置Ａの概略構成を表す機能ブロック図，図３は従来技術に係る，上記画像形成装置Ａのウォームアップ処理を表すフローチャート，図４は上記実施形態例に係る上記画像形成装置Ａにおけるウォームアップ処理を表すフローチャートである。
【００１２】
まず，図１を用いて，本発明の実施の形態に係る画像形成装置Ａの全体構成について説明する。
画像形成装置Ａは，複写機能及びプリンタ機能を有する複合機である。上記画像形成装置Ａは下方に複数のカセット３１を装着する給紙部を備え，その上方に両面ユニット３２が配置され，その上方には画像形成部３３と定着装置Ｘが設けられている。更にその上部には画像を読み取るスキャナ３５と自動原稿搬送装置（以下，ＡＤＦという）３６が取り付けられている。また，上記画像形成装置Ａの本体上面には，液晶タッチパネル等の表示操作部３が配置され，利用者は，該表示操作部３の操作によって，画質モード選択や複数あるカセット３１のうちいずれを使用するかの選択，画像読み取りの開始操作等の各種操作を行う。画像形成部３３には感光体ドラム４０の周囲に，帯電装置４１，現像装置４２，クリーニング装置４３が配置された作像ユニット４４が設けられており，下方には感光体ドラム４０に対向して転写装置４５が配置されている。感光体ドラム４０は，例えば直径８４ｍｍのアルミ円筒の表面に感光層が形成されており，図１において時計方向に回転駆動される。帯電装置４１は回転する感光体ドラム４０の表面をコロナ放電により数百Ｖに帯電させる。感光体ドラム４０表面の帯電装置４１よりも回転方向下流側では，ＬＥＤアレイヘッドとセルフォックレンズ等から構成される露光装置５０により露光されて静電潜像が形成される。この露光装置５０の発光出力の制御に用いられる画像データは，画像処理部３０から入力される。
即ち，スキャナ３５からミラーにより導かれた原稿画像光は，ＣＣＤ（Ｃｈａｒｇｅ−Ｃｏｕｐｌｅｄ  Ｄｅｖｉｃｅ；画像信号を電気信号に変換するデバイス）３７に入射され，ここでＡ／Ｄ変換されてデジタル画像データ（原稿画像データ）として画像処理部３０に入力される。さらに，原稿画像データは，画像処理部３０において，所定の画像処理が施され，画像処理後の画像データが露光装置制御手段６０に入力され，該露光装置制御手段６０により，画像処理後の画像データに従った露光が行われるように露光装置５０が制御される。
【００１３】
現像装置４２では現像ローラが回転して，現像ローラ表面に形成された磁気ブラシが感光体ドラム４０表面に接触し，静電潜像に対して帯電したトナーを付着させてトナー画像を形成する。該トナー画像は転写装置４５において，いずれかのカセット３１から搬送されてきた転写紙が感光体ドラム４０とその周速と同じ速度で移動する転写ベルト４６との間に挟持された状態で搬送されながら帯電されてトナー画像が転写紙上に転写される。さらに，転写装置４５の下流側にはクリーニング装置４３が配置されており，感光体ドラム４０の表面上に残留したトナーや他の付着物が除去される。本画像形成装置Ａの転写装置４５は，転写ベルトを用いたものが採用されているが，これを転写ローラに置き換えることも可能である。
上記転写装置４５によってトナー像が転写された転写紙は，その搬送方向下流側に設けられた定着装置Ｘに運ばれ，定着装置Ｘの定着ローラ１とこれに対向する加圧ローラ２の間を通り，転写紙上のトナーが内部に加熱器を備えた定着ローラ１の熱によって溶融定着される。
本発明では，上記画像形成装置Ａの電源が投入されると同時に，制御部により上記加熱器を温度上昇させる処理が開始され，最終的には，上記制御部が行う処理（バックアップデータの読込み処理，画像読取部と制御部との通信の同期確認処理，画像形成装置を構成する機器に対するエラー確認処理）の結果により決定されたＲｅａｄｙ温度に上記加熱器の温度が調整される。
加圧ローラ２は，転写紙を上記定着ローラ１に押し付けて，トナーの定着を確実にするためのものである。上記定着装置Ｘによりトナー像が定着された転写紙は，転写紙処理装置Ｂ側へ送出される。
【００１４】
次に，本実施形態例に係る上記画像形成装置Ａが有する上記定着装置Ｘの駆動に関する主要部の構成について図２を用いて説明する。
上記画像形成装置Ａ全体は，ＣＰＵ７１，プログラムＲＯＭ７２，データ保存用ＲＯＭ（ＥＰＰＲＯＭ）７３，ＲＡＭ７４等からなる制御部７０によって制御される。該制御部７０は，上記プログラムＲＯＭ７２に格納された所定のプログラムが上記ＣＰＵ７１にて実行されることで，各種制御及び演算処理を行う。尚，本発明では，上記プログラムＲＯＭ７２に格納され，上記ＣＰＵにて実行されるプログラムに加熱器温度制御プログラムを挙げている。また，上記画像形成装置Ａに関するデータ（ＣＰＵ７１のワークエリア，制御パラメータ等の固定データ，およびメンテナンス時に使用される印刷枚数等の変動データ）は揮発性メモリである上記ＲＡＭ７４に一時的に保持され，その後，不揮発性メモリであるデータ保存用ＲＯＭ（ＥＰＰＲＯＭ）７３にバックアップデータとして記憶される。
さらに，上記制御部７０，上記定着装置Ｘが有する加熱器あるいは上記定着ローラ１や上記加圧ローラ２等を駆動させる本体駆動部７５，上記加熱器の温度の検知するセンサや画像読取部７７のカバー開閉を検知する本体センサ部７６，上記スキャナ３５，上記ＡＤＦ３６，上記ＣＣＤ３７，およびパーソナルコンピュータ等の外部装置から受信した印刷ジョブや上記スキャナ３５により読み取られた画像についての画像処理を行う画像処理部３０より構成される画像読取部７７，上記外部装置との通信制御を行う通信部７８については各々がバスで接続されている。
【００１５】
次に，上記制御部７０が実施する，本実施形態例に係る上記画像形成装置Ａにおけるウォームアップ処理について，図４のフローチャートを用いて説明する。また，図４における符号Ｓ２０，Ｓ２１，…  はそれぞれステップ番号を示している。尚，本実施形態例ではＲｅａｄｙ温度を１２５度に設定している。
Ｓ２０：まず，利用者によって上記画像形成装置Ａの稼動が開始された際に，上記加熱器の温度を上記本体センサ部７６にて検知する。その結果，上記加熱器の温度が既に上記Ｒｅａｄｙ温度とあまり大差のない所定の温度になっている場合（本実施形態例では１１０度としている）は，加熱器の温度上昇を開始する処理は行わず，後述するステップＳ２２〜ステップＳ２４にて決定される上記Ｒｅａｄｙ温度に上記加熱器の温度を直接調整するためステップＳ２２に進む。また１１０度に達していない場合にはステップＳ２１に進む。
尚，上記所定の温度については，予め人為的に設定されてもよいし，上記ＣＰＵ７１にて実行されるプログラムで設定されてもよい。
Ｓ２１：上記加熱器の温度上昇の処理を開始する。この時は，適当な仮の目標温度に向けて加熱器を駆動してもよいし，目標温度を定めず，単に電流を流すだけの処理でも良い。ここで，本ステップＳ２１が本発明における第１の温度制御手段である。
Ｓ２２：従来技術における上記ステップＳ１と同様のバックアップデータの読み込み処理が，上記制御部７０にて行われる。処理が完了すればステップＳ２３に進む。
尚，本ステップＳ２２における上記画像形成装置が有する，例えばＥＰＰＲＯＭ等の不揮発性メモリが，本発明での記憶手段である。また，上記不揮発性メモリにはＥＰＰＲＯＭあるいはＥＰＰＲＯＭを改良したフラッシュメモリ等の書き込みが可能な不揮発性メモリが使用される場合，上記バックアップデータの変更が人為的に行われることが可能である。この上記不揮発性メモリに書き込みを行う処理（つまり上記バックアップデータが可変である）を実行する手段が，本発明における情報書込手段である。
Ｓ２３：従来技術における上記ステップＳ２と同様の上記画像読取部７７との通信同期処理が，上記制御部７０にて行われる。処理が完了すればステップＳ２４に進む。
Ｓ２４：従来技術における上記ステップＳ３と同様の機器のエラー確認処理が，上記制御部７０にて行なわれる。処理が完了すればステップＳ２５に進む。
このように本実施形態例では，バックアップデータの読込み等の処理が，Ｓ２１における加熱器の駆動開始後に行なわれることで，上記ステップＳ２２〜上記ステップＳ２４の実行中も，上記加熱器における温度上昇が実施されるので，無駄な待ち時間がなくなり，速やかな加熱器の温度上昇が達成される。
尚，後述するステップＳ２７において判断基準となる上記Ｒｅａｄｙ温度については，図示はしていないが，上記ステップＳ２２〜上記ステップＳ２４の実行結果に従って上記制御部７０にて決定されたものである。これらの一連の処理が本発明における目標温度等確認手段に該当する。
また，図示はしていないが，上記ステップＳ２２〜上記ステップＳ２４の処理中にエラー（バックアップデータに異常が発生したことに伴うデータの初期化や上記画像読取部Ａと上記制御部７０との通信同期が取れない等のエラー）が発生すれば，もちろん，加熱器の温度上昇を行う処理は停止される。
Ｓ２５：上記加熱器の温度を上昇させている間に制御処理にエラーが発生しているか否かを判断する。発生していればステップＳ２８に進み，発生していなければステップＳ２６に進む。
Ｓ２６：上記加熱器の温度を上記本体センサ部７６にて検知する。その結果，上記加熱器の温度を上昇させているのにも関わらず，所定の時間（本実施形態例では１０秒としている）を超えても温度上昇に変化がない場合は，上記加熱器の温度上昇の処理中にエラーが発生したものと上記制御部７０により判断されてステップＳ２８に進む。
Ｓ２７：上記加熱器の温度を上記本体センサ部７６にて検知する。その結果，上記加熱器の温度が上記Ｒｅａｄｙ温度に達している場合にはステップＳ２８に進み，上記加熱器の温度が上記Ｒｅａｄｙ温度に達していない場合は上記ステップＳ２５の処理に戻る。
Ｓ２８：上記ステップＳ２５にて上記加熱器の温度を上昇させている間に制御処理にエラーが発生した場合，上記ステップＳ２６にて上記加熱器の温度が１０秒以上変化しなかった場合，上記ステップＳ２７にて上記加熱器の温度が上記Ｒｅａｄｙ温度に達していた場合の，いずれかの場合には，上記定着装置Ｘに異常が発生したとして上記加熱器の温度上昇を停止させる。
尚，上記ステップＳ２５〜上記ステップＳ２７の処理が，本発明における第２の温度制御手段としている。
また，上記ステップＳ２０〜上記ステップＳ２８までの一連の処理については，上記画像形成装置Ａに対する，省電力モードから再稼動させる際に行われても問題ない。
【００１６】
なお，上記ステップＳ２０〜上記ステップＳ２８の処理は，上記制御部７０が有する上記プログラムＲＯＭ７２に予め記憶された加熱器温度制御プログラムが上記ＣＰＵ７１にて実行されたものでもある。従って上記の一連の処理はこのプログラムにより実行される一連の機能であるということができる。
【００１７】
【発明の効果】
以上説明したように，本発明によれば，加熱器を目標温度となるように駆動制御し，この加熱器によりシートに付着した現像剤を上記シートに加熱定着させる定着装置において，上記定着装置の稼動開始と同時に，上記加熱器の温度上昇を上記第１の温度制御手段により開始させ，上記加熱器において温度上昇の処理が行われている間に，上述したバックアップデータの読込み処理，画像読取部と制御部との通信同期処理，画像形成装置を構成する機器に対するエラー確認処理を行い（これらの３処理が目標温度等確認手段），その後，最終的に上記加熱器の温度を上記目標温度等確認手段より決定された目標温度に第２の温度制御手段により調整する装置を提供することで，ウォームアップタイムの短縮が可能である。
【図面の簡単な説明】
【図１】本発明の一実施形態（以下，実施形態例と言う）に係る画像形成装置Ａの概略断面図。
【図２】実施形態例に係る画像形成装置Ａの概略構成を表す機能ブロック図。
【図３】従来技術に係る，上記画像形成装置Ａのウォームアップ処理を表すフローチャート。
【図４】実施形態例に係る上記画像形成装置Ａにおけるウォームアップ処理を表すフローチャート。
【符号の説明】
１…定着ローラ
２…加圧ローラ
３…表示操作部
３０…画像処理部
３１…カセット
３２…両面ユニット
３３…画像形成部
３５…スキャナ
３６…自動原稿搬送装置（ＡＤＦ）
３７…ＣＣＤ
４０…感光体ドラム
４１…帯電装置
４２…現像装置
４３…クリーニング装置
４４…作像ユニット
４５…転写装置
４６…転写ベルト
５０…露光装置
６０…露光装置制御手段
７０…制御部
７１…ＣＰＵ
７２…プログラムＲＯＭ
７３…データ保存用ＲＯＭ（ＥＰＰＲＯＭ）
７４…ＲＡＭ
７５…本体駆動部
７６…本体センサ入力部
７７…画像読取部
７８…通信部
【図１】
2004354406.tif 000003
【図２】
2004354406.tif 000004
【図３】
2004354406.tif 000005
【図４】
2004354406.tif 000006